(57)【要約】【課題】複数の光源を備え、各光源の寿命が大略同じであるようにすることで、光源の交換のタイミングを大略揃えて、装置のメンテナンス性を大幅に向上させる。【解決手段】複数の光源と、各光源の発光点から発せられる光ビームを集光するとともに合成する第一の光学系と、光学系からの各光ビームを偏向する偏向器と、偏向器で偏向走査された光ビームを被走査面上に結像させる第二の光学系と、被走査面上での走査開始位置のタイミングを決定するための同期検出手段と、を備えるマルチビーム走査装置であって、複数の光源のうち、同期検出のために用いられる同期検出用光源は、被走査面への走査露光にも用いられ、同期検出用光源以外の光源は、被走査面に走査露光するための画像形成用光源として用いられ、同期検出用光源の発光点の数は、画像形成用光源の発光点の数よりも少ない。【選択図】図１
2008304511.tif 000002
【特許請求の範囲】
【請求項１】
複数の光源と、
各光源の発光点から発せられる光ビームを集光するとともに合成する第一の光学系と、
前記光学系からの各光ビームを偏向する偏向器と、
偏向器で偏向走査された光ビームを被走査面上に結像させる第二の光学系と、
被走査面上での走査開始位置のタイミングを決定するための同期検出手段と、を備えるマルチビーム走査装置であって、
前記複数の光源のうち、同期検出のために用いられる同期検出用光源は、被走査面への走査露光にも用いられ、前記同期検出用光源以外の光源は、被走査面に走査露光するための画像形成用光源として用いられ、
前記同期検出用光源の発光点の数は、画像形成用光源の発光点の数よりも少ないことを特徴とするマルチビーム走査装置。
【請求項２】
前記同期検出用光源は、一つの発光点を有する単光源であることを特徴とする、請求項１記載のマルチビーム走査装置。
【請求項３】
前記同期検出用光源は、複数の発光点を有するアレイ光源であることを特徴とする、請求項１記載のマルチビーム走査装置。
【請求項４】
複数の光ビームを走査することにより画像を形成する画像形成装置であって、
前記複数の光ビームを走査する走査装置として、請求項１乃至３のいずれかに記載のマルチビーム走査装置を用いたことを特徴とする画像形成装置。
【発明の詳細な説明】
【技術分野】
【０００１】
本発明は、少なくとも一本の光ビームを発する光源を複数個備えるマルチビーム走査装置及び当該装置を備えた画像形成装置に関する。
【背景技術】
【０００２】
例えば、デジタル複写機やレーザプリンタ等の画像形成装置の分野においては、画像形成の高速化に対応すべく、感光体ドラム表面等を露光走査するための光ビームを複数本出射するようにしたマルチビーム走査装置を用いた画像形成装置が種々開発されている。
【０００３】
このマルチビーム走査装置は、複数本の光ビームを出射する光源と、出射された各光ビームを主走査方向に走査するポリゴンミラーと、走査された各光ビームを像担持体に導く走査レンズ等を備えたものが一般的であり、近年では、複数の発光点を有するアレイ光源を二個以上備えて、各アレイ光源から出射される複数の光ビームを合成して出射する構成の光源部を備えたものが出現してきている。
【０００４】
マルチビーム走査装置において、複数本の光ビームを用いて複数ライン分の画像データを同時に記録して良好な画質を得ようとするためには、各光ビームにおける主走査方向の走査開始位置を揃える必要がある。
【０００５】
そのために、有効走査範囲外であり且つ被走査面よりも走査開始側に同期検出センサを設けて、画像形成開始前に同期検出用光ビームが同期検出センサに照射され、同期検出センサから出力された検出信号から所定時間後に画像形成用光ビームが出射されることで、各画像形成用光ビームの走査開始位置の同期を取っている。
【０００６】
しかしながら、同期検出用光ビームでは、同期検出のために光ビームを発光した時間分だけ他の画像形成用光ビームよりも発光時間が長くなっている。そのために、同期検出用光源は、他の画像形成用光源よりも製品寿命が短くなり、他の画像形成用光源よりも早く交換する必要がある。複数の光源の交換のタイミングがまちまちであるために、光源交換の作業を頻繁に行う必要があるので、メンテナンス性が悪いという問題がある。とりわけ、複数の発光点が配置されたアレイ光源の場合、複数の発光点の中から選択された発光点が同期検出用に使用されてその同期検出用発光点が寿命となったとき、他の発光点がまだ利用可能であったとしても当該アレイ光源自体を交換せざるを得ないという問題がある。
【０００７】
ところで、特許文献１には、ビームスプリッタを用いることなく三本の光ビームを合成するときに光ビーム間隔を独立して調節するために、単光源の半導体レーザの光軸を中心にしてマルチビーム光源を回動させることが開示されている。しかしながら、特許文献１の発明では、単光源の半導体レーザを光ビームの間隔調節手段として使用しているだけであり、画像形成用光ビームを出射する同期検出用光源に使用するという記述が存在しない。
【特許文献１】特開平０９−２３６７６３号公報。
【発明の開示】
【発明が解決しようとする課題】
【０００８】
したがって、本発明の解決すべき技術的課題は、少なくとも一本の光ビームを発する光源を複数個備えるマルチビーム走査装置において、光源の劣化を抑制して、光量変化による画質の低下を防止するとともに、各光源の寿命を大略同じとすることで光源の交換のタイミングが大略揃えられることにより、装置のメンテナンス性が大幅に向上するマルチビーム走査装置及び当該装置を備えた画像形成装置を提供することである。
【課題を解決するための手段および作用・効果】
【０００９】
上記技術的課題を解決するために、本発明によれば、
複数の光源と、
各光源の発光点から発せられる光ビームを集光するとともに合成する第一の光学系と、
前記光学系からの各光ビームを偏向する偏向器と、
偏向器で偏向走査された光ビームを被走査面上に結像させる第二の光学系と、
被走査面上での走査開始位置のタイミングを決定するための同期検出手段と、を備えるマルチビーム走査装置であって、
前記複数の光源のうち、同期検出のために用いられる同期検出用光源は、被走査面への走査露光にも用いられ、前記同期検出用光源以外の光源は、被走査面に走査露光するための画像形成用光源として用いられ、
前記同期検出用光源の発光点の数は、画像形成用光源の発光点の数よりも少ないことを特徴とするマルチビーム走査装置が提供される。
【００１０】
一般に、光源の寿命は、現在までの発光時間が短いほど、光源の寿命が長くなることが知られている。そして、同じ発光時間・発光量で発光点を発光させたとき、ある光源内に含まれる発光点の数が多いほど、すなわち、光源内により多くの発光点が集積されているほど、光源内での発熱量が多くなり、光源の寿命が短くなる。同期検出用光源が同期検出及び走査露光の両方に用いられる場合、同期検出の分だけ画像形成用光源よりも長時間発光することになる。その結果、同期検出用光源の寿命が画像形成用光源の寿命より短いために、光源又はマルチビーム走査装置の交換が行われてきた。
【００１１】
これに対して、本願発明の構成によれば、同期検出用光源の発光点の数を、画像形成用光源の発光点の数よりも少なくすることで、発光時間が長い同期検出用光源の発光点の劣化を抑制し、光強度劣化による画質の低下を防止することができる。そして、同期検出用光源の発光点の長時間発光による短寿命化をカバーして、同期検出用光源の寿命を画像形成用光源の寿命と同程度にすることができる。その結果、光源又はマルチビーム走査装置の交換のタイミングが大略揃えられることにより、装置のメンテナンス性が大幅に向上する。
【００１２】
同期検出用光源は、一つの発光点を有する単光源である。
【００１３】
あるいは、同期検出用光源は、複数の発光点を有するアレイ光源である。
【００１４】
上述のマルチビーム走査装置は、複数の光ビームを走査することにより画像を形成する画像形成装置に適用される。
【発明を実施するための最良の形態】
【００１５】
以下に、本発明の一実施形態に係る画像形成装置のマルチビーム走査装置１について、図１を参照しながら詳細に説明する。
【００１６】
図１は、画像形成装置（例えば、複写機、プリンタ、ファクシミリ、又はそれらを複合的に備えたもの）に組み込まれている本発明の第一実施形態に係るマルチビーム走査装置１の模式的な上面図である。画像形成装置そのものは公知の構成のものであるから画像形成装置について簡単に説明するとともに、マルチビーム走査装置１について詳細に説明する。
【００１７】
まず、画像形成装置の全体構成について説明する。
【００１８】
画像形成装置は、レーザダイオード素子（あるいは、半導体レーザ素子）から成る光源を複数個備えるマルチビーム式のデジタル複写機であり、画像読取部、画像信号処理部、メモリユニット部、制御部、マルチビーム走査装置１、作像系、給紙部、定着部などから構成されている。
【００１９】
画像読取部は、原稿を画像データとして読み取り、読み取った画像データを電気信号に変換して画像信号処理部に出力する。画像信号処理部は、画像読取部から送られてきた画像データの電気信号を２値化データに変換して、メモリユニット部に格納する。メモリユニット部は、画像信号処理部によって補正された画像データを露光走査処理の単位であるライン単位で画像情報メモリに格納する。そして、制御部による水平同期制御に従って、画像データをライン単位で制御部に出力する。ここでは一回の水平同期周期に複数のレーザビームを用いて複数ライン同時に露光走査するため、複数ライン分のデータを一度に出力する。
【００２０】
マルチビーム走査装置１は、制御部による水平同期制御に従って、画像メモリから制御部経由で送られてくる画像データに応じて光ビームを変調させながら出射して感光体ドラムの表面（すなわち、被走査面）を露光し、感光体ドラム上に静電潜像を形成する。マルチビーム走査装置１については、構成と処理内容との詳細な説明を後述する。
【００２１】
制御部は、メモリユニット部とマルチビーム走査装置１との間にあり、メモリユニット部から順次画像データを読み出し、マルチビーム走査装置１に対して、読み出した画像データに応じて感光体ドラムを露光走査させる。その際、露光走査のタイミング調整処理を行う。作像系では、先ず帯電チャージャが、回転駆動される感光体ドラムを所定の電位に帯電させ、その後、マルチビーム走査装置１によって感光体ドラム上に静電潜像が形成されると、現像器が感光体ドラム上の静電潜像を現像してトナー像を生成する。転写チャージャは感光体ドラム上のトナー像を記録紙上に転写させる。クリーナは記録紙へのトナー像転写後に、感光体ドラム上に残留したトナーを掻き落とす。
【００２２】
給紙部では、給紙カセットに収容された記録紙を、給紙ローラが回転して一枚ずつ繰り出し、繰り出された記録紙を転写チャージャに向けて送り出す。定着部は、一対のローラを有し、記録紙上のトナー像をこれらローラによる熱圧着処理で定着させる。
【００２３】
次に、図１を参照しながら、第一実施形態に係るマルチビーム走査装置１について説明する。
【００２４】
１０は、同期検出用光源であり、後述する画像形成用光源２０の発光点よりも少ない発光点（レーザダイオード）を有して、例えば、図１に示すように一本の光ビームＳ１を出射する。すなわち、図１に示した同期検出用光源１０は、発光点が一つである単光源である。光ビームＳ１は、画像形成及び同期検出の両方のために用いられる。
【００２５】
１２は、集光光学系である。集光光学系１２は、同期検出用光源１０から出射された拡散光を平行光にするコリメータレンズと、同期検出用光源１０からの光ビームＳ１を被走査面に結像するとともに、倒れ角と称されるポリゴンミラー４０の反射面の傾きを補正するシリンドリカルレンズとから構成されている。
【００２６】
２０は、画像形成用光源であり、複数の発光点（レーザダイオード）を有して、図１に示すように二本の光ビームＲ１，Ｒ２を出射する。すなわち、画像形成用光源２０は、発光点が主走査方向に対して所定の角度で並ぶように２個のレーザダイオードが配設されているアレイ光源である。光ビームＲ１，Ｒ２は、走査露光（画像形成）のために用いられる。
【００２７】
２２は、集光光学系である。集光光学系２２は、画像形成用光源２０から出射された拡散光を平行光にするコリメータレンズと、画像形成用光源２０からの光ビームＲ１，Ｒ２を被走査面に結像するとともに、倒れ角と称されるポリゴンミラー４０の反射面の傾きを補正するシリンドリカルレンズとから構成されている。
【００２８】
３０は、合成光学素子としてのビームスプリッタである。ビームスプリッタ３０は、同期検出用光源１０からの光ビームをハーフミラー面で９０度の角度で偏向させるとともに、画像形成用光源２０からの光ビームをそのまま透過させることによって各光ビームを合成して、それらをポリゴンミラー４０に向けて出射する。集光光学系１２及びビームスプリッタ３０は、第一の光学系を構成する。
【００２９】
４０は、複数の偏向反射面（ミラー面からなる偏向面）を有する偏向器としてのポリゴンミラーである。不図示のモータによって高速で回転駆動される偏向反射面でビームスプリッタ３０からの光ビームＳ１，Ｒ１，Ｒ２が反射されて、走査される。
【００３０】
５０はｆθ特性を有するマルチビーム走査光学系（第二の光学系）である。マルチビーム走査光学系５０は、負の屈折力を有する球面レンズと、正の屈折力を有するトーリックレンズから構成されている。マルチビーム走査光学系５０は、ポリゴンミラー４０によって偏向反射された光ビームを感光体ドラム面（被走査面）上で等速移動させるための光学系である。
【００３１】
６０は同期検出手段としてのＳＯＳ（Start of Scan）センサ（フォトダイオード）である。ＳＯＳセンサ６０は、光ビームが感光体ドラム面（被走査面）上に走査されるときの有効走査範囲外にあって、走査開始側に配置される。ＳＯＳセンサ６０は、マルチビーム走査における主走査方向の画像形成開始位置（書き出し位置）を検出して、基準となる同期信号（ビーム検出信号）を発生するために使用される。同期信号（ビーム検出信号）を用いて、感光体ドラム面（被走査面）上への画像記録の走査開始位置のタイミングを調整している。
【００３２】
第一実施形態として示した図１においては、同期検出用光源１０は、一つのレーザダイオード（発光点）を有している。当該同期検出用光源１０からは、一本の光ビーム（ＳＯＳ兼用光ビーム）Ｓ１が出射される。画像形成及び同期検出用光ビームＳ１は、画像形成及び同期検出の両方のために用いられる。画像形成用光源２０は、二つのレーザダイオード（発光点）を有するアレイ光源である。二つのレーザダイオードの間隔が例えば１４μｍである。当該画像形成用光源２０からは、二本の光ビームＲ１，Ｒ２が出射される。画像形成用光ビームＲ１，Ｒ２は、走査露光（画像形成）のために用いられる。図４の（Ａ）に模式的に示すように、マルチビーム走査装置１からの各光ビームＲ１，Ｓ１，Ｒ２が被走査面上に走査される。
【００３３】
上記のように、同期検出用光源１０として、一つのレーザダイオード（発光点）を有する単光源を用いるとともに、画像形成用光源２０として二つのレーザダイオード（発光点）を有するアレイ光源を用いること、すなわち、同期検出用光源１０の発光点の数を、画像形成用光源２０の発光点の数よりも少なくすることによって、長時間発光が要求される同期検出用光源１０を能力的に余裕のある状態で発光させることで同期検出用光源１０の長寿命につながり、同期検出用光源１０の寿命を画像形成用光源２０の寿命と同程度にすることができ、マルチビーム走査装置１及び画像形成装置のメンテナンス性が大幅に向上する。
【００３４】
次に、本発明の第二実施形態に係るマルチビーム走査装置１を図２を参照しながら説明するが、その基本的な構成は上述した第一実施形態と同じであるので、重複する部分の説明を省略して、相違点を中心に説明する。両実施形態において、同一の部分や相当する部分には、同じ符号を付してある。
【００３５】
第一実施形態のマルチビーム走査装置１と比較すると、画像形成用光源２０が相違している。
【００３６】
第二実施形態として示した図２においては、同期検出用光源１０は、一つのレーザダイオード（発光点）を有する単光源である。当該同期検出用光源１０からは、一本の光ビームＳ１が出射される。画像形成及び同期検出用光ビーム（ＳＯＳ兼用光ビーム）Ｓ１は、画像形成及び同期検出の両方のために用いられる。そして、画像形成用光源２０は、四つのレーザダイオードを有するアレイ光源である。四つのレーザダイオードの間隔が例えば１４μｍである。当該画像形成用光源２０からは、四本の光ビームＲ１，Ｒ２，Ｒ３，Ｒ４が出射される。画像形成用光ビームＲ１，Ｒ２，Ｒ３，Ｒ４は、走査露光（画像形成）のために用いられる。図４の（Ｂ）に模式的に示すように、マルチビーム走査装置１からの各光ビームＲ１，Ｒ２，Ｓ１，Ｒ３，Ｒ４が被走査面上に走査される。
【００３７】
上記のように、同期検出用光源１０として、一つのレーザダイオード（発光点）を有する単光源を用いるとともに、画像形成用光源２０として四つのレーザダイオード（発光点）を有するアレイ光源を用いること、すなわち、同期検出用光源１０の発光点の数を、画像形成用光源２０の発光点の数よりも少なくすることによって、長時間発光が要求される同期検出用光源１０を能力的に余裕のある状態で発光させることで同期検出用光源１０の長寿命につながり、同期検出用光源１０の寿命を画像形成用光源２０の寿命と同程度にすることができ、マルチビーム走査装置１及び画像形成装置のメンテナンス性が大幅に向上する。
【００３８】
次に、本発明の第三実施形態に係るマルチビーム走査装置１を図３を参照しながら説明するが、その基本的な構成は上述した第二実施形態と同じであるので、重複する部分の説明を省略して、相違点を中心に説明する。両実施形態において、同一の部分や相当する部分には、同じ符号を付してある。
【００３９】
第二実施形態のマルチビーム走査装置１と比較すると、同期検出用光源１０が相違している。
【００４０】
第三実施形態として示した図３においては、同期検出用光源１０は、二つのレーザダイオード（発光点）を有するアレイ光源である。当該同期検出用光源１０からは、二本の光ビームＳ１，Ｓ２が出射される。画像形成及び同期検出用光ビーム（ＳＯＳ兼用光ビーム）Ｓ１は、画像形成及び同期検出の両方のために用いられる。他の光ビームすなわち画像形成用光ビームＳ２は、走査露光（画像形成）のために用いられる。そして、画像形成用光源２０は、四つのレーザダイオードを有するアレイ光源である。四つのレーザダイオードの間隔が例えば１４μｍである。当該画像形成用光源２０からは、四本の光ビームＲ１，Ｒ２，Ｒ３，Ｒ４が出射される。画像形成用光ビームＲ１，Ｒ２，Ｒ３，Ｒ４は、走査露光（画像形成）のために用いられる。図４の（Ｃ）に模式的に示すように、マルチビーム走査装置１からの各光ビームＲ１，Ｓ１，Ｒ２，Ｒ３，Ｓ２，Ｒ４が被走査面上に走査される。
【００４１】
上記のように、同期検出用光源１０として、二つのレーザダイオード（発光点）を有するアレイ光源を用いてその一方を画像形成及び同期検出用光ビームＳ１として用いて他方を画像形成用光ビームＳ２として用いるとともに、画像形成用光源２０として四つのレーザダイオード（発光点）を有するアレイ光源を用いること、すなわち、同期検出用光源１０の発光点の数を、画像形成用光源２０の発光点の数よりも少なくすることによって、長時間発光が要求される同期検出用光源１０を能力的に余裕のある状態で発光させることで同期検出用光源１０の長寿命につながり、同期検出用光源１０の寿命を画像形成用光源２０の寿命と同程度にすることができ、マルチビーム走査装置１及び画像形成装置のメンテナンス性が大幅に向上する。
【００４２】
次に、本発明の第四実施形態に係るマルチビーム走査装置１を図５を参照しながら説明するが、その基本的な構成は上述した第一実施形態と同じであるので、重複する部分の説明を省略して、相違点を中心に説明する。両実施形態において、同一の部分や相当する部分には、同じ符号を付してある。
【００４３】
第一実施形態のマルチビーム走査装置１と比較すると、光源からポリゴンミラー４０に至るまでの第一の光学系の構成が相違している。
【００４４】
第四実施形態として示した図５においては、同期検出用光源１０が一つの光源から構成されていて、同期検出用光源１０の前方には、コリメータレンズ及びシリンドリカルレンズからなる集光光学系１２が配設されている。また、画像形成用光源２０が三つの別体の光源から構成されていて、各画像形成用光源２０の前方には、コリメータレンズ及びシリンドリカルレンズからなる集光光学系２２がそれぞれ配設されている。そして、合成光学素子として、ビームスプリッタ３０の代わりに、積層ミラー体３２が用いられている。積層ミラー体３２は、複数のミラーを異なる角度で積層したものであり、同期検出用光源１０からの光ビームＳ１及び画像形成用光源２０からの光ビームＲ１，Ｒ２，Ｒ３を所定の角度で偏向させて、各光ビームＳ１，Ｒ１，Ｒ２，Ｒ３をポリゴンミラー４０に向けて出射する。
【００４５】
同期検出用光源１０は、一つのレーザダイオード（発光点）を有する単光源である。当該同期検出用光源１０からは、一本の光ビームＳ１が出射される。画像形成及び同期検出用光ビーム（ＳＯＳ兼用光ビーム）Ｓ１は、画像形成及び同期検出の両方のために用いられる。
【００４６】
そして、三つある画像形成用光源２０のうち第一の画像形成用光源２０は、一つのレーザダイオードを有する単光源である。当該画像形成用光源２０からは、一本の光ビームＲ１が出射される。三つある画像形成用光源２０のうち第二の画像形成用光源２０は、二つのレーザダイオードを有するアレイ光源である。二つのレーザダイオードの間隔が例えば１４μｍである。当該画像形成用光源２０からは、二本の光ビームＲ１，Ｒ２が出射される。三つある画像形成用光源２０のうち第三の画像形成用光源２０は、三つのレーザダイオードを有するアレイ光源である。三つのレーザダイオードの間隔が例えば１４μｍである。当該画像形成用光源２０からは、三本の光ビームＲ１，Ｒ２，Ｒ３が出射される。画像形成用光ビームＲ１，Ｒ２，Ｒ３の合計六本の光ビームは、走査露光（画像形成）のために用いられる。
【００４７】
上記のように、同期検出用光源１０として、一つのレーザダイオード（発光点）を有する単光源を用いるとともに、画像形成用光源２０として三つのレーザダイオード（発光点）を有するアレイ光源と二つのレーザダイオード（発光点）を有するアレイ光源と一つのレーザダイオード（発光点）を有する単光源とを用いること、すなわち、同期検出用光源１０の発光点の数を、画像形成用光源２０の発光点の数よりも少なくすることによって、長時間発光が要求される同期検出用光源１０を能力的に余裕のある状態で発光させることで同期検出用光源１０の長寿命につながり、同期検出用光源１０の寿命を画像形成用光源２０の寿命と同程度にすることができ、マルチビーム走査装置１及び画像形成装置のメンテナンス性が大幅に向上する。
【００４８】
なお、上記実施形態は、あくまでも例示であり、同期検出用光源１０の発光点の数を、画像形成用光源２０の発光点の数よりも少なくするという本願発明の範囲内であれば、様々な変形を行うことができる。例えば、同期検出用光源１０として、三つのレーザダイオード（発光点）を有するアレイ光源を用いるとともに、画像形成用光源２０として四つのレーザダイオード（発光点）を有するアレイ光源を用いることができる。さらにまた、同期検出用光源１０として、二つのレーザダイオード（発光点）を有するアレイ光源を用いるとともに、画像形成用光源２０として三つのレーザダイオード（発光点）を有するアレイ光源と二つのレーザダイオード（発光点）を有するアレイ光源と二つのレーザダイオード（発光点）を有するアレイ光源とを用いることができる。
【図面の簡単な説明】
【００４９】
【図１】画像形成装置において使用される、本発明の第一実施形態に係るマルチビーム走査装置の模式的な上面図である。
【図２】本発明の第二実施形態に係るマルチビーム走査装置からの光ビームの模式的な説明図である。
【図３】本発明の第三実施形態に係るマルチビーム走査装置からの光ビームの模式的な説明図である。
【図４】本発明に係るマルチビーム走査装置からの光ビームが被走査面上に走査されるときの様子を模式的に示す図である。（Ａ）は、画像形成用光源からの光ビームが二本であり、同期検出用光源からの光ビームが一本である場合である。（Ｂ）は、画像形成用光源からの光ビームが四本であり、同期検出用光源からの光ビームが一本である場合である。（Ｃ）は、画像形成用光源からの光ビームが四本であり、同期検出用光源からの光ビームが二本である場合である。
【図５】本発明の第四実施形態に係るマルチビーム走査装置の模式的な上面図である。
【符号の説明】
【００５０】
１：マルチビーム走査装置
１０：同期検出用光源
１２：集光光学系
２０：画像形成用光源
２２：集光光学系
３０：ビームスプリッタ（合成光学素子）
３２：積層ミラー体（合成光学素子）
４０：ポリゴンミラー（偏向器）
５０：マルチビーム走査光学系（第二の光学系）
６０：ＳＯＳセンサ（同期検出手段）
Ｓ１：画像形成及び同期検出用光ビーム（ＳＯＳ兼用光ビーム）
Ｓ２：画像形成用光ビーム
Ｒ１：画像形成用光ビーム
Ｒ２：画像形成用光ビーム
Ｒ３：画像形成用光ビーム
Ｒ４：画像形成用光ビーム
【図１】
2008304511.tif 000003
【図２】
2008304511.tif 000004
【図３】
2008304511.tif 000005
【図４】
2008304511.tif 000006
【図５】
2008304511.tif 000007